(57)【要約】【課題】掘こたつの内部に入れた足の上前方側のひざ関節付近を重点的に暖め易く採暖効率の良いものであって、簡単な構成で、低コストで製作できる掘こたつの提供を目的とする。【解決手段】掘こたつ１の天部４の下面４ａに、１本のヒーター線４１ａから構成された天面用ヒーター４１を備えている。又、天面用ヒーター４１は、天部４の下面４ａの中央部４２における配線密度を、天部４の下面４ａの周部４３における配線密度よりも高くなるように構成されている。【選択図】図２
2009079793.tif 000002
【特許請求の範囲】
【請求項１】
支持脚によって支持された天部を有する座卓を備えるとともに、その天部の下面に天面用ヒーターを備えた掘こたつであって、
前記天面用ヒーターは、天部の下面における中央部とその中央部の周部とに配設されているとともに、前記中央部における発熱密度が、前記周部における発熱密度よりも高くなるように構成されていることを特徴とする掘こたつ。
【請求項２】
前記天面用ヒーターは、一本のヒーター線から構成され、
前記ヒーター線は、前記中央部における配線密度が前記周部の配線密度よりも高くなるように配設されていることを特徴とする請求項１記載の掘こたつ。
【請求項３】
前記天面用ヒーターは、一本のヒーター線から構成され、
前記ヒーター線は、前記中央部における単位長さ当たりの発熱量が前記周部における単位長さ当たりの発熱量よりも高くなるように構成されていることを特徴とする請求項１又は２記載の掘こたつ。
【発明の詳細な説明】
【技術分野】
【０００１】
本発明は、掘こたつに関するものである。
【背景技術】
【０００２】
従来から、支持脚によって支持された天部を有する座卓を備えるとともに、その天部の下面に天面用ヒーターを備えた掘こたつは広く知られている。このような掘こたつとして、例えば図４に示すように、天部ｃの下面のヒーターａを、一本のヒーター線ｂから構成するとともに、天部ｃの下面の全体にほぼ同じ配線密度になるように配設し、ヒーター線ｂによって天部ｃの下面の全体から、ほぼ均等に発熱できるようにしたものが提案されている。
【０００３】
しかしながら、掘こたつの内部に入れた足における上部の太ももからその後方側の付け根にかけての肉付きの良い部分（太もも部）よりも、あまり肉が付いていない上前方側のひざ関節付近を重点的に暖めたほうが、暖かさを強く感じられやすく、採暖効率を高めることができるが、上記のようにヒーター線ｂによって下面全体からほぼ均等に発熱していると、足の上前方側のひざ関節付近を重点的に暖め難く、採暖効率を高め難い。特に、例えば使用者が寒い所から暖かい掘こたつ内に足を入れた当初においては、ひざ関節付近を重点的に暖めたほうが、暖かさを強く感じやすい。
【０００４】
又、掘こたつとして、例えば天部の下面に、複数の平板状のヒーターを、使用者の着座姿勢に応じて熱源駆動部によって方向調整できるように、長方形状に配列したものも提案されている（特許文献１参照）。従って、このように構成されたヒーターを使用者のひざ関節付近に向けることによってひざ関節付近を重点的に暖めることも可能である。
【特許文献１】特開２００５−１６０８０６号公報
【発明の開示】
【発明が解決しようとする課題】
【０００５】
しかしながら、特許文献１に記載のもののように、複数の平板状のヒーターを、熱源駆動部によって方向調整できるようにしたのでは、構成が複雑化するとともに、製作コストも高く付いてしまう。
【０００６】
本発明は、掘こたつの内部に入れた足の上前方側のひざ関節付近を重点的に暖め易く採暖効率の良いものであって、簡単な構成で、低コストで製作できる掘こたつを提供することを目的とする。
【課題を解決するための手段】
【０００７】
前記課題を解決するために、本発明の請求項１は、支持脚によって支持された天部を有する座卓を備えるとともに、その天部の下面に天面用ヒーターを備えた掘こたつであって、前記天面用ヒーターは、天部の下面のほぼ全体に配設されているとともに、前記下面の中央部における発熱密度が、前記下面の周部における発熱密度よりも高くなるように構成されていることを特徴とする掘こたつを提供する。尚、発熱密度が高いとは、単位面積当たりの発熱量が大きいことをいう。
【０００８】
請求項２のように、前記天面用ヒーターは、一本のヒーター線から構成され、前記ヒーター線は、前記下面の中央部における配線密度が前記下面の周部の配線密度よりも高くなるように配設されていることが好ましい。
【０００９】
請求項３のように、前記天面用ヒーターは、一本のヒーター線から構成され、前記ヒーター線は、前記中央部における単位長さ当たりの発熱量が前記周部における単位長さ当たりの発熱量よりも高くなるように構成されていることが好ましい。
【発明の効果】
【００１０】
請求項１によれば、天面用ヒーターは、天部の下面の中央部における発熱密度が、その下面の中央部の周部における発熱密度よりも高くなるように構成されているため、中央部を周部よりも発熱量を大きくできる。これにより、例えば掘こたつの内部に入れた足の上後方側の肉付きの良い太もも部よりもその足の上前方側の肉のあまり付いていないひざ関節付近を強く暖めることができる。従って、暖かさを強く感じさせることができ、採暖効率を高めることができる。
【００１１】
請求項２によれば、天面用ヒーターは、一本のヒーター線から構成され、このヒーター線がその中央部における配線密度をその周部の配線密度よりも高くなるように配設されているため、従来と同様なヒーター線を用いて、単に配線密度を変えれば良く、簡単な構成で、しかも、低コストで製作できる。
【００１２】
請求項３によれば、一本のヒーター線を、天部の下面の中央部における単位長さ当たりの発熱量が周部における単位長さ当たりの発熱量よりも高くなるように構成されているため、ヒーター線を、予め単位長さ当たりの発熱量が高い部分と低い部分とを形成しておき、その発熱量が高い部分を天部の下面の中央部に配設し、その発熱量が低い部分をその周部に配設すれば良く、製作を容易なものにできる。
【発明を実施するための最良の形態】
【００１３】
以下、本発明を実施するための最良の形態について、図面を参照しながら詳細に説明する。図１は、本発明の第１実施形態の掘こたつの概略断面図、図２は、第１実施形態の掘こたつの天面用ヒーターの説明図である。
【００１４】
第１実施形態の掘こたつ１は、掘込部２と、座卓３とを備えている。掘込部２は、上方が開口されたものから構成されており、左右前後夫々に設けられた４つの側壁２１と、底壁２２とを備えている。
【００１５】
側壁２１は、夫々、内側面に、側面用ヒーター２１ａを備えている。又、この実施形態の側面用ヒーター２１ａは、図示しないが、図４に示すものと同様に、１本のヒーター線を各側壁２１の全体に渡って、ほぼ同じ配線密度になるように配設されている。
【００１６】
底壁２２は、内底面に、底面用ヒーター２２ａを備えている。この実施形態の底面用ヒーター２２ａは、図示しないが、側壁２１と同様に、１本のヒーター線を内底面の全体に渡って、配線間隔をほぼ同じ配線密度になるように配設されている。
【００１７】
座卓３は、天部４と、天部４を下方側から支持した支持脚５とを備えている。天部４は、その下面４ａに、天面用ヒーター４１を備えている。天面用ヒーター４１は、全長に渡って同じ材料で同じ径からなる１本のヒーター線４１ａから構成されている。
【００１８】
そして、このヒーター線４１ａは、天部４の下面４ａの中央部４２における配線密度を、天部４の下面４ａにおける周部４３の配線密度よりも高くして下面４ａのほぼ全体に配設されている。
【００１９】
詳しくは、天部４の下面４ａを、前後方向及び左右方向に夫々、ほぼ３等分し、その前後左右の中央に区画形成された中央部４２と、その中央部４２の周りの周部４３とに区画する。
【００２０】
そして、ヒーター線４１ａを、その中央部４２と周部４３とに配設するとともに、中央部４２におけるヒーター線４１ａの配線間隔ｔ１が、周部４３におけるヒーター線４１ａの配線間隔ｔ２の１／３程度〜１／２程度になるようにすることにより、中央部４２の配線密度が周部４３の配線密度よりも高くなるようにしている。
【００２１】
尚、天部４の下面４ａの中央部４２の大きさは、特に限定されず、適宜変更できる。又、中央部４２におけるヒーター線４１ａの配線間隔ｔ１についても、上記の形態のものに限らず、適宜変更できる。
【００２２】
このようにしてヒーター線４１ａが配設されることにより、天部４の下面４ａの中央部４２における発熱密度が、天部４の下面４ａの周部における発熱密度よりも高くなるように構成されている。
【００２３】
以上のように構成されることにより、下面４ａの中央部４２におけるヒーター線４１ａによる発熱量を、周部４３のそれよりも大きくできる。これにより、例えば掘こたつ１の内部に入れた足の上後方側の太もも部よりも上前方側のひざ関節付近Ｍを強く暖めることができる。従って、掘こたつ１の内部に入れた足の上前方側のひざ関節付近を重点的に暖め易くでき、採暖効率を高めることができる。
【００２４】
又、その際、天面用ヒーター４１は、一本のヒーター線４１ａから構成するとともに、天部４の下面４ａの中央部４２におけるヒーター線４１ａの配線密度を、天部４の下面４ａの周部４３における配線密度よりも高くなるように配設しているため、従来と同様なヒーター線を用いて、単に配線密度を変えれば良く、簡単な構成で、しかも、低コストで製作できる。
【００２５】
尚、上記第１実施形態では、天面用ヒーター４１を、１本のヒーター線４１ａから構成しているが、この形態のものに限らず、適宜変更できる。例えばプラスチックの表面に炭素粉を分散させるとともに、両端に電極を設けた複数の帯状の面状発熱体から構成し、これらの帯状の面状発熱体を、天部の下面の中央部における互いの間隔を、周部における互いの間隔よりも小さくして配設することにより、天部の下面の中央部における発熱密度が、周部における発熱密度よりも高くなるように構成するようにしても良い。
【００２６】
次に、本発明の第２実施形態について、図３に基づいて説明する。第２実施形態の掘こたつは、先の第１実施形態のものと同様に、天部１４０の下面１４０ａに、天面用ヒーター１４１を備えている。
【００２７】
又、この天面用ヒーター１４１は、１本のヒーター線１４１ａから構成されているが、この第２実施形態のヒーター線１４１ａは、この図３に示すように、ヒーター線１４１ａの長手方向の中間部に高発熱部１４１ｂを備えるとともに、その両端部に、単位長さ当たり発熱量が上記高発熱部１４１ｂにおける単位長さ当たり発熱量よりも小さい低発熱部１４１ｃとを備えている。
【００２８】
又、この実施形態では、高発熱部１４１ｂを、低発熱部１４１ｃと同じ材料から構成し、高発熱部１４１ｂの径を、低発熱部１４１ｃの径よりも大きくすることにより、一定の電圧を印加した場合に、高発熱部１４１ｂにおける単位長さ当たり発熱量が低発熱部１４１ｃにおける単位長さ当たり発熱量よりも大きいものとしている。
【００２９】
尚、高発熱部１４１ｂと低発熱部１４１ｃとは、同じ材料から構成して径の異なるものから構成する形態のものに限らず、適宜変更できる。例えば高発熱部１４１ｂを、低発熱部１４１ｃよりも電気抵抗の小さい材料から構成して低発熱部１４１ｃに直列に接続することによって、一定の電圧を印加した場合に、高発熱部１４１ｂにおける単位長さ当たり発熱量が低発熱部１４１ｃにおける単位長さ当たり発熱量よりも大きいものとしても良い。
【００３０】
そして、高発熱部１４１ｂは、天部１４０の下面１４０ａの中央部１４２に、低発熱部１４１ｃは、天部１４０の下面の周部１４３に、夫々、配設されている。又、この実施形態では、高発熱部１４１ｂの配線間隔は、低発熱部１４１ｃの配線間隔とほぼ同じとされている。
【００３１】
このようにして、天部１４０の下面１４０ａの中央部における発熱密度が、天部１４０の下面１４０ａの周部における発熱密度よりも高くなるように構成されている。
【００３２】
尚、この第２実施形態における天部１４０の下面１４０ａの中央部は、先の第１実施形態のものと同様に、前後方向及び左右方向に夫々、ほぼ３等分し、その前後左右の中央に区画形成された部分であるが、これよりも大きくても又は小さくても良い。第２実施形態のその他は、先の第１実施形態のものと同構成を採っている。
【００３３】
以上のように構成した第２実施形態においては、下面における中央部１４２を周部１４３よりも発熱量を大きくできる。これにより、例えば掘こたつの内部に入れた足の上後方側の太もも部よりも上前方側のひざ関節付近Ｍを強く暖めることができる。従って、掘こたつの内部に入れた足の上前方側のひざ関節付近を重点的に暖め易くでき、採暖効率を高めることができる。
【００３４】
尚、この第２実施形態では、高発熱部１４１ｂの配線間隔を、低発熱部１４１ｃの配線間隔とほぼ同じにしているが、この形態のものに限らず、例えば高発熱部１４１ｂの配線間隔を、低発熱部１４１ｃの配線間隔よりも狭くして高発熱部１４１ｂの配線密度を低発熱部１４１ｃの配線密度よりも高くしても良い。
【００３５】
又、上記第１及び第２実施形態では、掘込部２の側壁２１と底壁２２とに、夫々、ヒーター２１ａ、２２ａを設けているが、いずれか一方又は両方に、ヒーター２１ａ、２２ａを設けない形態のものであっても良い。又、ヒーターを設ける場合、ヒーターをヒーター線から構成する形態のものに限らず、例えば上述のような面状発熱体から構成することもでき、適宜変更できる。
【図面の簡単な説明】
【００３６】
【図１】本発明の第１実施形態の掘こたつの概略断面図である。
【図２】第１実施形態の掘こたつの天面用ヒーターの説明図である。
【図３】本発明の第２実施形態の掘こたつの天面用ヒーターの説明図である。
【図４】従来例における天面用ヒーターの説明図である。
【符号の説明】
【００３７】
１    掘こたつ
２    掘込部
３    座卓
４、１４０    天部
４１、１４１    天面用ヒーター
４１ａ、１４１ａ    ヒーター線
１４１ｂ    高発熱部
１４１ｃ    低発熱部
【図１】
2009079793.tif 000003
【図２】
2009079793.tif 000004
【図３】
2009079793.tif 000005
【図４】
2009079793.tif 000006